(57)【要約】【課題】高抵抗の記録媒体が像保持体の転写域を通過するときに、当該記録媒体が像保持体の転写域を通過する前の走行中に摺擦により帯電したとしても、像保持体の転写域前にて像保持体上の画像が記録媒体に静電転写する事態を抑制する。【解決手段】像保持体１と転写部材２ａとで記録媒体Ｓを挟持して搬送すると共に、像保持体１に保持された画像Ｇを記録媒体Ｓに静電転写させる転写装置２と、転写装置２の転写域ＴＲよりも記録媒体Ｓの搬送方向上流側に設けられ、記録媒体Ｓに接触する接触部材３と、記録媒体Ｓが帯電作像粒子と同極性の帯電状態を保って転写域ＴＲに至るように、接触部材３のうち転写装置２の転写域ＴＲの直近に位置する一若しくは複数の接触部材３の少なくとも一つに対し、帯電作像粒子と同極性の帯電電圧Ｖｃを供給する帯電要素４と、を備える。【選択図】図１
2019060993.tif 000002
【特許請求の範囲】
【請求項１】
帯電作像粒子による画像を移動可能に保持する像保持体と、
前記像保持体の画像保持面に接触して配置される転写部材を有し、前記像保持体と前記転写部材とで記録媒体を挟持して搬送すると共に、前記像保持体と前記転写部材との間の転写域に予め決められた転写電圧を印加することで前記像保持体に保持された画像を前記記録媒体に静電転写させる転写装置と、
前記転写装置の転写域よりも記録媒体の搬送方向上流側に設けられ、前記記録媒体に接触する接触部材と、
前記記録媒体が前記帯電作像粒子と同極性の帯電状態を保って前記転写域に至るように、前記接触部材のうち前記転写装置の転写域の直近に位置する一若しくは複数の接触部材の少なくとも一つに対し、前記帯電作像粒子と同極性の帯電電圧を供給する帯電要素と、
を備えたことを特徴とする画像形成装置。
【請求項２】
請求項１に記載の画像形成装置において、
前記接触部材は前記記録媒体を位置合せ搬送する位置合せ搬送部材を含み、
前記帯電要素は少なくとも前記位置合せ搬送部材に設けられていることを特徴とする画像形成装置。
【請求項３】
請求項１に記載の画像形成装置において、
前記接触部材は前記転写域に向けて前記記録媒体を案内する案内部材を含み、
前記帯電要素は少なくとも前記案内部材に設けられていることを特徴とする画像形成装置。
【請求項４】
請求項１に記載の画像形成装置において、
前記接触部材は、前記記録媒体を位置合せ搬送する位置合せ搬送部材及び当該位置合せ搬送部材と前記転写域との間に設けられ、前記転写域に向かって前記記録媒体を案内する案内部材を含み、
前記帯電要素は前記位置合せ搬送部材及び前記案内部材に設けられることを特徴とする画像形成装置。
【請求項５】
請求項１乃至４のいずれかに記載の画像形成装置において、
前記帯電要素による帯電電圧は当該帯電電圧が供給される接触部材と前記記録媒体との間で放電を開始する放電開始電圧以上であることを特徴とする画像形成装置。
【請求項６】
請求項１乃至５のいずれかに記載の画像形成装置において、
前記帯電要素が設けられた接触部材よりも前記記録媒体の搬送方向上流側に位置する一若しくは複数の接触部材は予め決められた高抵抗を介して接地されることを特徴とする画像形成装置。
【請求項７】
請求項６に記載の画像形成装置において、
高抵抗接地される前記接触部材は、前記帯電要素が設けられた前記接触部材との間の距離が当該記録媒体の搬送方向長さの範囲内であることを特徴とする画像形成装置。
【請求項８】
請求項１乃至７のいずれかに記載の画像形成装置において、
前記記録媒体が予め決められた抵抗値以上の高抵抗であるとき、前記帯電要素による帯電電圧の供給動作を行うことを特徴とする画像形成装置。
【請求項９】
請求項８に記載の画像形成装置において、
前記記録媒体が予め決められた抵抗値以上の高抵抗であるか否かを判別する判別器と、
前記判別器にて前記記録媒体が高抵抗であると判別されたときに前記帯電要素による前記帯電電圧を供給するように当該帯電要素を切り替え選択する切替器と、を有することを特徴とする画像形成装置。
【請求項１０】
請求項１乃至９のいずれかに記載の画像形成装置において、
前記像保持体は、像形成保持体上の画像を記録媒体に転写する前に中間的に転写して保持する中間転写体であり、前記転写装置は前記中間転写体上の画像を記録媒体に転写するものであることを特徴とする画像形成装置。
【発明の詳細な説明】
【技術分野】
【０００１】
本発明は画像形成装置に関する。
【背景技術】
【０００２】
従来この種の画像形成装置としては例えば特許文献１，２に記載のものが既に知られている。
特許文献１には、低温低湿条件下でのＯＨＰシートや厚手の転写紙を用いた場合にも高画質が得られるように、中間転写体のトナー像担持面に記録媒体を介して当接しトナー像の帯電極性と逆の極性の電圧を印加することによりトナー像を記録媒体に二次転写するための二次転写ロールと、二次転写ロールに対向する位置で中間転写体のトナー像担持面の裏面に当接するバックアップロールとを有し、中間転写体の裏面かつ中間転写体とバックアップロールの当接部位の上流側に近接して配置されると共に中間転写体に対してトナー像の帯電極性と逆の極性の電界を付与する逆極性電界印加手段を設けた画像形成装置が開示されている。
特許文献２には、転写材が高抵抗（例えばＯＨＰ用紙）の場合、下流側の画像形成ステーションにおける転写体バイアスが高くなるのを防止するために、転写前帯電ローラによってトナー像転写前のＯＨＰ用紙にトナーと逆極性の電荷を付与しておき、転写前帯電ローラに有効面長をＯＨＰ用紙の通紙幅よりも短く設定して、非通紙部からの逃げ電流を防止する画像形成装置が開示されている。
【先行技術文献】
【特許文献】
【０００３】
【特許文献１】特開平９−８０９２５号公報（発明の実施の形態，図２）
【特許文献２】特開２００３−２２３０３７号公報（発明の実施の形態，図２）
【発明の概要】
【発明が解決しようとする課題】
【０００４】
本発明が解決しようとする技術的課題は、高抵抗の記録媒体が像保持体の転写域を通過するときに、当該記録媒体が像保持体の転写域を通過する前の走行中に摺れ擦り（以下「摺擦」という）により帯電したとしても、像保持体の転写域前にて像保持体上の画像が記録媒体に静電転写する事態を抑制することにある。
【課題を解決するための手段】
【０００５】
請求項１に係る発明は、帯電作像粒子による画像を移動可能に保持する像保持体と、前記像保持体の画像保持面に接触して配置される転写部材を有し、前記像保持体と前記転写部材とで記録媒体を挟持して搬送すると共に、前記像保持体と前記転写部材との間の転写域に予め決められた転写電圧を印加することで前記像保持体に保持された画像を前記記録媒体に静電転写させる転写装置と、前記転写装置の転写域よりも記録媒体の搬送方向上流側に設けられ、前記記録媒体に接触する接触部材と、前記記録媒体が前記帯電作像粒子と同極性の帯電状態を保って前記転写域に至るように、前記接触部材のうち前記転写装置の転写域の直近に位置する一若しくは複数の接触部材の少なくとも一つに対し、前記帯電作像粒子と同極性の帯電電圧を供給する帯電要素と、を備えたことを特徴とする画像形成装置である。
【０００６】
請求項２に係る発明は、請求項１に係る画像形成装置において、前記接触部材は前記記録媒体を位置合せ搬送する位置合せ搬送部材を含み、前記帯電要素は少なくとも前記位置合せ搬送部材に設けられていることを特徴とする画像形成装置である。
請求項３に係る発明は、請求項１に係る画像形成装置において、前記接触部材は前記転写域に向けて前記記録媒体を案内する案内部材を含み、前記帯電要素は少なくとも前記案内部材に設けられていることを特徴とする画像形成装置である。
請求項４に係る発明は、請求項１に係る画像形成装置において、前記接触部材は、前記記録媒体を位置合せ搬送する位置合せ搬送部材及び当該位置合せ搬送部材と前記転写域との間に設けられ、前記転写域に向かって前記記録媒体を案内する案内部材を含み、前記帯電要素は前記位置合せ搬送部材及び前記案内部材に設けられることを特徴とする画像形成装置である。
請求項５に係る発明は、請求項１乃至４のいずれかに係る画像形成装置において、前記帯電要素による帯電電圧は当該帯電電圧が供給される接触部材と前記記録媒体との間で放電を開始する放電開始電圧以上であることを特徴とする画像形成装置である。
請求項６に係る発明は、請求項１乃至５のいずれかに係る画像形成装置において、前記帯電要素が設けられた接触部材よりも前記記録媒体の搬送方向上流側に位置する一若しくは複数の接触部材は予め決められた高抵抗を介して接地されることを特徴とする画像形成装置である。
請求項７に係る発明は、請求項６に係る画像形成装置において、高抵抗接地される前記接触部材は、前記帯電要素が設けられた前記接触部材との間の距離が当該記録媒体の搬送方向長さの範囲内であることを特徴とする画像形成装置である。
請求項８に係る発明は、請求項１乃至７のいずれかに係る画像形成装置において、前記記録媒体が予め決められた抵抗値以上の高抵抗であるとき、前記帯電要素による帯電電圧の供給動作を行うことを特徴とする画像形成装置である。
請求項９に係る発明は、請求項８に係る画像形成装置において、前記記録媒体が予め決められた抵抗値以上の高抵抗であるか否かを判別する判別器と、前記判別器にて前記記録媒体が高抵抗であると判別されたときに前記帯電要素による前記帯電電圧を供給するように当該帯電要素を切り替え選択する切替器と、を有することを特徴とする画像形成装置である。
請求項１０に係る発明は、請求項１乃至９のいずれかに係る画像形成装置において、前記像保持体は、像形成保持体上の画像を記録媒体に転写する前に中間的に転写して保持する中間転写体であり、前記転写装置は前記中間転写体上の画像を記録媒体に転写するものであることを特徴とする画像形成装置である。
【発明の効果】
【０００７】
請求項１に係る発明によれば、高抵抗の記録媒体が像保持体の転写域を通過するときに、当該記録媒体が像保持体の転写域を通過する前の走行中に摺擦により帯電したとしても、像保持体の転写域前にて像保持体上の画像が記録媒体に静電転写する事態を抑制することができる。
請求項２に係る発明によれば、位置合せ搬送部材にて記録媒体を位置合せして搬送するときに、記録媒体の全領域に対し略均一に帯電作像粒子と同極性に帯電することができる。
請求項３に係る発明によれば、記録媒体が案内部材を経由して転写装置の転写域に向かう直前に、記録媒体を帯電作像粒子と同極性に帯電することができる。
請求項４に係る発明によれば、位置合せ搬送部材又は案内部材に帯電要素を設ける場合に比べて、位置合せ搬送部材及び案内部材を走行する記録部材に対して帯電要素による帯電状態を安定させることができる。
請求項５に係る発明によれば、帯電要素の帯電電圧レベルの調整が容易にでき、接触部材と記録媒体との間で放電による帯電動作を確実に実現することができる。
請求項６に係る発明によれば、記録媒体が帯電要素により帯電作像粒子と同極性に帯電されたときに、記録媒体の搬送方向上流側に位置する接触部材からの漏れ電流を抑制することができる。
請求項７に係る発明によれば、記録媒体が帯電要素により帯電作像粒子と同極性に帯電されたときに、記録媒体の搬送方向上流側に位置する必要最小限の接触部材に対して高抵抗接地を行うことで、記録媒体の搬送方向上流側に位置する接触部材からの漏れ電流を抑制することができる。
請求項８に係る発明によれば、記録媒体として高抵抗の記録媒体を使用したとしても、記録媒体が転写域を通過するときに、記録媒体を帯電作像粒子と同極性に帯電することができる。
請求項９に係る発明によれば、記録媒体として高抵抗の記録媒体を使用したとしても、記録媒体が転写域を通過するときに、記録媒体を帯電作像粒子と同極性に帯電する構造を簡単に構築することができる。
請求項１０に係る発明によれば、中間転写方式の画像形成装置において記録媒体が中間転写体の転写域を通過するときに、当該記録媒体が像保持体の転写域を通過する前の走行中に摺擦（摺れ擦り）により帯電したとしても、像保持体の転写域前にて像保持体上の画像が記録媒体に静電転写する事態を抑制することができる。
【図面の簡単な説明】
【０００８】
【図１】本発明が適用された画像形成装置の実施の形態の概要を示す説明図である。
【図２】実施の形態１に係る画像形成装置の全体構成を示す説明図である。
【図３】図２に示す画像形成装置の二次転写部周りの構成例を示す説明図である。
【図４】（ａ）は実施の形態１に係る画像形成装置による高抵抗用紙への作像例１を示す説明図、（ｂ）は同作像例２を示す説明図、（ｃ）は図３に示す判別器の一例を示す説明図である。
【図５】本実施の形態で用いられる二次転写部周りの主要要素の詳細を示す説明図である。
【図６】実施の形態１に係る画像形成装置で用いられる用紙種作像シーケンスを示すフローチャートである。
【図７】（ａ）は高抵抗用紙以外の用紙を使用した際の二次転写動作過程を模式的に示す説明図、（ｂ）は高抵抗用紙を使用した際の二次転写動作過程を模式的に示す説明図である。
【図８】（ａ）は実施の形態１に係る画像形成装置において、高抵抗用紙を使用した際の二次転写域での転写動作を模式的に示す説明図、（ｂ）は比較の形態１に係る画像形成装置において、高抵抗用紙を使用した際の二次転写域での転写動作を模式的に示す説明図である。
【図９】（ａ）は変形の形態１に係る画像形成装置の二次転写部周りの構成例を示す説明図、（ｂ）は変形の形態２に係る画像形成装置の二次転写部周りの構成例を示す説明図である。
【発明を実施するための形態】
【０００９】
◎実施の形態の概要
図１は本発明が適用された画像形成装置の実施の形態の概要を示す。
同図において、画像形成装置は、帯電作像粒子による画像Ｇを移動可能に保持する像保持体１と、像保持体１の画像保持面に接触して配置される転写部材２ａを有し、像保持体１と転写部材２ａとで記録媒体Ｓを挟持して搬送すると共に、像保持体１と転写部材２ａとの間の転写域ＴＲに予め決められた転写電圧ＶＴＲを印加することで像保持体１に保持された画像Ｇを記録媒体Ｓに静電転写させる転写装置２と、転写装置２の転写域ＴＲよりも記録媒体Ｓの搬送方向上流側に設けられ、記録媒体Ｓに接触する接触部材３と、記録媒体Ｓが帯電作像粒子と同極性の帯電状態を保って転写域ＴＲに至るように、接触部材３のうち転写装置２の転写域ＴＲの直近に位置する一若しくは複数の接触部材３の少なくとも一つに対し、帯電作像粒子と同極性の帯電電圧Ｖｃを供給する帯電要素４と、を備えたものである。
尚、図１では、転写装置２は、転写部材２ａに対向する像保持体１の裏面に対向部材２ｂを設置し、当該対向部材２ｂに転写電源２ｃから転写電圧ＶＴＲを印加することで転写域ＴＲに画像Ｇを転写するための転写電界を形成するものである。
【００１０】
このような技術的手段において、像保持体１は画像Ｇを保持するものであれば、中間転写方式の中間転写体は勿論、直接転写方式の感光体、誘電体をも含む。
また、帯電要素４が付加可能な接触部材３としては、転写域ＴＲの直近に位置する一若しくは複数の接触部材３の少なくとも一つであればよい。
ここで、帯電要素４の設置箇所については、転写域ＴＲの直近に位置する一つの接触部材３に付加する態様が代表的であるが、これに限られるものではなく、転写域ＴＲの直近に位置する複数の接触部材３の両方に付加してもよいし、いずれか一方に付加してもよい。但し、転写域ＴＲの直近に複数の接触部材３を有する態様で、転写域ＴＲから離れた側の接触部材３に帯電要素４を付加する場合には、その下流側に位置する接触部材３との摺擦で、上流側の接触部材３にて折角帯電された記録媒体Ｓが逆極性に戻らないように、下流側の接触部材３の表面を逆極性に帯電しないような被覆層で覆うなど逆極性への再帯電を防止する対策を施すことが好ましい。
更に、帯電要素４は帯電電圧Ｖｃを供給する態様であればよく、帯電電圧Ｖｃは基本的には直流バイアスであればよいが、極性が変わらないということであれは交流バイアスを重畳してもよい。
【００１１】
本実施の形態によれば、記録媒体Ｓのうち例えば高抵抗の記録媒体Ｓにあっては、記録媒体Ｓが像保持体１の転写域ＴＲを通過する前の走行中に各種の接触部材３と摺擦して部分的に帯電することがある。このような状況で、部分的に帯電した記録媒体Ｓが転写域ＴＲに突入すると、転写域ＴＲの入口付近では像保持体１上の帯電作像粒子による画像Ｇが記録媒体Ｓに接近して配置される。このとき、記録媒体Ｓの部分的な帯電箇所が帯電作像粒子の極性と逆極性に帯電しているとすると、像保持体１上の画像Ｇの一部が転写域ＴＲの手前にて記録媒体Ｓに転移してしまう虞れがあり、画像抜けや画像汚れという転写不良につながる懸念がある。特に、導電性の高い帯電作像粒子においては像保持体１への静電付着力が弱いことから、前述した転写不良は顕著に現れやすい。
これに対し、本実施の形態では、記録媒体Ｓは接触部材３に接触して走行するときに帯電要素４によって帯電作像粒子と同極性に帯電されることから、当該記録媒体Ｓが転写域ＴＲに突入する際に、転写域ＴＲの入口付近で記録媒体Ｓと像保持体１上の帯電作像粒子による画像Ｇとが接近配置したとしても、像保持体１上の帯電作像粒子による画像Ｇは記録媒体Ｓ上の帯電電荷に対して反発する方向、つまり、像保持体１側に押し付けられることになり、像保持体１上の帯電作像粒子による画像Ｇは転写域ＴＲに突入する前に記録媒体Ｓ側に移行する懸念はない。
【００１２】
次に、本実施の形態に係る画像形成装置の代表的態様又は好ましい態様について説明する。
先ず、接触部材３の代表的態様としては、以下の態様が挙げられる。
（１）記録媒体Ｓを位置合せ搬送する位置合せ搬送部材３ａを含み、帯電要素４は少なくとも位置合せ搬送部材３ａに設けられている態様。
（２）転写域ＴＲに向けて記録媒体Ｓを案内する案内部材３ｂを含み、帯電要素４は少なくとも案内部材３ｂに設けられている態様。
（３）記録媒体Ｓを位置合せ搬送する位置合せ搬送部材３ａ及び当該位置合せ搬送部材３ａと転写域ＴＲとの間に設けられ、転写域ＴＲに向かって記録媒体Ｓを案内する案内部材３ｂを含み、帯電要素４は位置合せ搬送部材３ａ及び案内部材３ｂに設けられる態様。
【００１３】
また、帯電要素４の帯電電圧Ｖｃの代表的な設定方法としては、帯電要素４による帯電電圧Ｖｃは当該帯電電圧Ｖｃが供給される接触部材３と記録媒体Ｓとの間で放電を開始する放電開始電圧以上である態様が挙げられる。
更に、帯電要素４による帯電作用の実効性を高めた態様としては、帯電要素４が設けられた接触部材３よりも記録媒体Ｓの搬送方向上流側に位置する一若しくは複数の接触部材３（例えば記録媒体Ｓを搬送する搬送部材３ｃ）は予め決められた高抵抗５を介して接地される態様が挙げられる。本例は、記録媒体Ｓが帯電要素４により帯電されたときに、記録媒体Ｓの搬送方向上流側に位置する接触部材３（例えば３ｃ）と記録媒体Ｓとが接触していたとしても、当該接触部材３（例えば３ｃ）は高抵抗５を介して接地されていることから、記録媒体Ｓを帯電した電荷は高抵抗接地された接触部材３（例えば３ｃ）からは漏れ難く、記録媒体Ｓの帯電状態が良好に保たれる点で好ましい。
【００１４】
更に、帯電要素４による帯電作用の実効性を高めるうえで好ましい態様としては、高抵抗接地される接触部材３（例えば３ｃ）は、帯電要素４が設けられた接触部材３（例えば３ａ）との間の距離が当該記録媒体Ｓの搬送方向長さの範囲内である態様が挙げられる。仮に、両者間の距離が記録媒体Ｓの搬送方向長さの範囲外である態様では、そもそも記録媒体Ｓの搬送方向上流側に位置する接触部材３（例えば３ｃ）から記録媒体Ｓの帯電電荷が漏洩するという懸念が生じない。
【００１５】
本実施の形態では、全ての記録媒体Ｓに対して帯電要素４による帯電作用を与えるようにしてもよいが、特に、好ましい態様としては、記録媒体Ｓが予め決められた抵抗値以上の高抵抗であるとき、帯電要素４による帯電電圧Ｖｃの供給動作を行う態様が挙げられる。
この場合の好ましい態様としては、記録媒体Ｓが予め決められた抵抗値以上の高抵抗であるか否かを判別する判別器６と、判別器６にて記録媒体Ｓが高抵抗であると判別されたときに帯電要素４による帯電電圧Ｖｃを供給するように当該帯電要素４を切り替え選択する切替器７と、を有する態様が挙げられる。本例において、判別器６はユーザの指定や、走行中の記録媒体Ｓを検出する方式等を広く含む。また、本態様の制御方式としては、例えば判別器６からの判別信号を制御装置８にて認識し、認識結果に基づいて制御装置８にて切替器７に切替用の制御信号を送出するようにしたものが挙げられる。
【００１６】
◎実施の形態１
以下、添付図面に示す実施の形態に基づいて本発明をより詳細に説明する。
図２は実施の形態１に係る画像形成装置の全体構成を示す。
−画像形成装置の全体構成−
同図において、画像形成装置２０は、画像形成装置筐体２１内に、複数の色成分（本実施の形態ではホワイト＃１、イエロ、マゼンタ、シアン、ブラック、ホワイト＃２）画像を形成する画像形成部２２（具体的には２２ａ〜２２ｆ）と、各画像形成部２２にて形成された各色成分画像を順次転写（一次転写）保持するベルト状の中間転写体３０と、中間転写体３０上に転写された各色成分画像を記録媒体としての用紙Ｓに二次転写（一括転写）する二次転写装置（一括転写装置）５０と、二次転写された画像を用紙Ｓ上に定着させる定着装置７０と、二次転写域に用紙Ｓを搬送する用紙搬送系８０と、を備えている。尚、本例では、ホワイト＃１、ホワイト＃２は全く同色の白色材料を用いているが、用紙Ｓ上他の色成分画像よりも下層に位置するか、上層に位置するかによって異なる白色材料を用いたものでもよいことは勿論である。また、例えば一方のホワイト＃１に代えて透明色の材料を用いるようにしてもよい。
【００１７】
−画像形成部−
本実施の形態において、各画像形成部２２（具体的には２２ａ〜２２ｆ）は、夫々ドラム状の感光体２３を有し、各感光体２３の周囲には、感光体２３が帯電されるコロトロンや転写ロール等の帯電装置２４、帯電された感光体２３上に静電潜像が書き込まれるレーザ走査装置等の露光装置２５、感光体２３上に書き込まれた静電潜像が各色成分トナーにて現像される現像装置２６、感光体２３上のトナー画像が中間転写体３０に転写される転写ロール等の一次転写装置２７及び感光体２３上の残留トナーが除去される感光体清掃装置２８を夫々配設したものである。
また、中間転写体３０は、複数（本実施の形態では三つ）の張架ロール３１〜３３に掛け渡されており、例えば張架ロール３１が図示外の駆動モータにて駆動される駆動ロールとして用いられ、当該駆動ロールにて循環移動するようになっている。更に、張架ロール３１，３３間には二次転写後の中間転写体３０上の残留トナーを除去するための中間転写体清掃装置３５が設けられている。
【００１８】
−二次転写装置（一括転写装置）−
更に、二次転写装置（一括転写装置）５０は、図２及び図３に示すように、中間転写体３０の張架ロール３３に対向した部位に転写ロール５５を圧接配置すると共に、中間転写体３０の張架ロール３３を転写ロール５５の対向電極をなす対向ロール５６としたものである。ここで、本例では、転写ロール５５は金属製シャフトの周囲に発泡ウレタンゴムやＥＰＤＭにカーボンブラック等が配合された弾性層を被覆した構成になっており、転写ロール５５と対向ロール５６との間で挟持した中間転写体３０のニップ領域を二次転写域（一括転写域）ＴＲとして機能するようにしたものである。
更に、対向ロール５６（本例では張架ロール３３を兼用）には導電性の給電ロール５７を介して転写電源６０からの転写バイアスＶＴＲが印加されており、転写ロール５５及び対向ロール５６間に所定の転写電界が形成されるようになっている。
尚、本例では、二次転写装置５０は中間転写体３０に転写ロール５５を圧接配置した態様であるが、これに限られるものではなく、転写ロール５５を張架ロールの一つとして転写ベルトを張架ロール間に掛け渡すベルト転写モジュール等を用いてもよいことは勿論である。
【００１９】
−定着装置−
定着装置７０は、図２に示すように、用紙の画像保持面側に接触して配置される駆動回転可能な加熱定着ロール７１と、当該加熱定着ロール７１に対向して圧接配置され、加熱定着ロール７１に追従して回転する加圧定着ロール７２とを有し、両定着ロール７１，７２間の転写領域に用紙上に保持された画像を通過させ、当該画像を加熱加圧定着するものである。
【００２０】
−用紙搬送系−
更に、用紙搬送系８０は、図２及び図３に示すように、複数段（本例では二段）の用紙供給容器８１，８２を有し、用紙供給容器８１，８２のいずれかから供給される用紙Ｓを略鉛直方向に延びる鉛直搬送路８３から略水平方向に延びる水平搬送路８４を経て二次転写域ＴＲへと至り、その後、転写された画像Ｇが保持された用紙Ｓを、搬送ベルト８５を経由して定着装置７０による定着部位に至り、画像形成装置筐体２１の側方に設けられた用紙排出受け８６に排出するものである。
そして更に、用紙搬送系８０は、水平搬送路８４のうち定着装置７０の用紙搬送方向下流側に位置する部分から下方に向かって分岐する反転可能な分岐搬送路８７を有し、当該分岐搬送路８７で反転された用紙Ｓを戻し搬送路８８を経て再び鉛直搬送路８３から水平搬送路８４へと戻し、二次転写域ＴＲにて用紙Ｓの裏面に画像Ｇを転写し、定着装置７０を経て用紙排出受け８６へ排出するようになっている。
また、用紙搬送系８０には用紙Ｓを位置合せして二次転写域ＴＲに供給する位置合せロール９０のほか、各搬送路８３，８４，８７，８８には適宜数の搬送ロール９１が設けられている。
更にまた、画像形成装置筐体２１の用紙排出受け８６の反対側には水平搬送路８４に向かって手差し用紙が供給可能な手差し用紙供給器９２が設けられている。
【００２１】
更に、水平搬送路８４の二次転写域ＴＲの入口側には位置合せロール９０を通過した用紙Ｓを二次転写域ＴＲへ案内する案内シュート９３が設けられている。本例では、位置合せロール９０と二次転写域ＴＲとの間には一つの案内シュート９３が設けられており、対構成の金属製のシュート部材を対向して配置することで用紙Ｓの案内軌跡を規制するようになっている。
尚、本例では、位置合せロール９０と二次転写域ＴＲとの間に一つの案内シュート９３が設けられているが、これに限られるものではなく、複数（例えば二つ）設けるようにしてもよく、複数の案内シュート９３を設ける場合には、夫々異なる傾斜姿勢にて配置することが可能になり、用紙Ｓの案内軌跡の調整につき自由度が増す。
【００２２】
−用紙種−
本例で使用可能な用紙Ｓとしては、例えば表面抵抗１０１０〜１０１２Ω／□の普通紙は勿論、普通紙よりも表面抵抗が高い高抵抗用紙が挙げられる。
ここで、高抵抗用紙の代表的態様としては、ＰＥＴフィルム等のプラスチックフィルムがあり、本実施の形態では、高抵抗用紙であるための抵抗の閾値については予め適用対象を選定するようにして差し支えないが、本実施の形態では、表面抵抗１０１５Ω／□以上のものを高抵抗用紙として適用対象とした。
この種の高抵抗用紙には例えばＹＭＣＫ（イエロ、マゼンタ、シアン、ブラック）からなるカラー画像を直に形成することも可能であるが、例えば図４（ａ）に示すように、高抵抗用紙上に例えば図２に示す画像形成部２２ｆを用いてホワイト（白色）Ｗによる背景画像としての白色画像ＧＷを形成すると共に、白色画像ＧＷ上に図２に示す画像形成部２２ｂ〜２２ｅを用いてＹＭＣＫによるカラー画像ＧＹＭＣＫを形成するようにしてもよいし、あるいは、図４（ｂ）に示すように、高抵抗用紙Ｓｔ上に例えば図２に示す画像形成部２２ｂ〜２２ｅを用いたＹＭＣＫによるカラー画像ＧＹＭＣＫを形成すると共に、カラー画像ＧＹＭＣＫ上に図２に示す画像形成部２２ａを用いてホワイト（白色）Ｗによる白色画像ＧＷを形成するようにしてもよい。
特に、ホワイト（白色）Ｗによる白色画像ＧＷは例えば白トナーのような帯電作像粒子を使用することになるが、白トナーは金属を色材としていることが多く、この種の白トナーは導電性が高く帯電しにくく、感光体２３や中間転写体３０に対する成分付着力が弱いという特性を有していることから、このことを考慮して作像時の取り扱いに留意する必要がある。
【００２３】
−判別器の構成例−
本例では、図３に示すように、用紙搬送系８０の鉛直搬送路８３又は水平搬送路８４の一部に用紙種を判別するための判別器１１０が設けられている。この判別器１１０は、例えば図４（ｃ）に示すように、用紙Ｓの搬送方向に沿って対構成の判別ロール１１１，１１２を並設し、用紙Ｓの搬送方向上流側に位置する対構成の判別ロール１１１の一方には判別用電源１１３を接続すると共に、他方を抵抗１１４を介して接地し、用紙Ｓの搬送方向下流側に位置する対構成の判別ロール１１２の一方と接地との間に電流計１１５を設けるようにしたものである。尚、判別ロール１１１，１１２としては用紙Ｓの搬送部材（位置合せロール９０や搬送ロール９１）を兼用してもよいし、搬送部材とは別に設けるようにしてもよい。
【００２４】
本例では、例えば用紙Ｓとして普通紙が使用されると仮定すると、普通紙の表面抵抗は１０１０〜１０１２Ω／□程度であることから、対構成の判別ロール１１１，１１２間に普通紙が跨がって配置された場合、判別用電源１１３からの判別電流は、対構成の判別ロール１１１を横切るように流れる成分と、用紙Ｓを伝わって判別ロール１１２側の電流計１１５に至る成分とに分かれて流れる。
これに対し、用紙Ｓとして表面抵抗が１０１５Ω／□以上の高抵抗用紙が使用されると仮定すると、高抵抗用紙の表面抵抗は普通紙に比べて大きいことから、対構成の判別ロール１１１，１１２間に高抵抗用紙が跨がって配置された場合、判別用電源１１３からの判別電流はインピダンス分だけ低減し、対構成の判別ロール１１１を横切るように流れるが、用紙Ｓを伝わって判別ロール１１２側の電流計１１５にはほとんど至らない。この結果、電流計１１５にて測定された測定電流と判別用電源１１３の印加電圧とによって用紙Ｓの表面抵抗が演算されて用紙種が判別される。
尚、本例では、判別器１１０は搬送中の用紙Ｓの表面抵抗を測定することで用紙種を判別する態様であるが、例えばユーザが使用する用紙種を指定したときの指定信号に基づいて用紙種を判別するようにしたものでもよい。
【００２５】
−二次転写域入口側に位置する用紙との接触部材−
本実施の形態では、二次転写域ＴＲ入口側に位置する用紙Ｓとの接触部材としては、図３及び図５に示すように、二次転写域ＴＲに近い側から順に、案内シュート９３、位置合せロール９０、搬送ロール９１がある。
本例では、位置合せロール９０は対構成の金属製ロール部材にて構成されて直接接地されている。また、案内シュート９３は金属製のシュート部材が抵抗９４を介して接地されており、本例の抵抗９４は転写ロール５５の抵抗値（本例では体積抵抗率）よりも高いものが選定されている。本例では、抵抗９４は転写ロール５５の抵抗値と対比して選定されているが、二次転写装置５０が例えばベルト転写モジュールを使用した場合には、ベルト転写モジュールの接地に至るまでの抵抗値と対比して選定するようにすればよい。
ここで、位置合せロール９０を直接接地しているのは、用紙Ｓが通過したときの摺擦により位置合せロール９０が帯電したときにチャージアップされる事態を防止するためである。また、案内シュート９３を抵抗９４を介して接地したのは、二次転写域ＴＲの転写電流の一部が漏洩するのを防止するためである。
尚、本例では、位置合せロール９０は直接接地する態様が採用されているが、適宜抵抗を介して接地してもよいことは勿論である。また、案内シュート９３は抵抗９４を介して接地する態様が採用されているが、直接接地する態様を採用することも可能であり、また、案内シュート９３を複数に分けて使用する態様にあっては、いずれか一方を直接接地する等適宜選定して差し支えない。
更に、本例では、位置合せロール９０よりも用紙Ｓの搬送方向上流側の隣接した箇所には搬送ロール９１が設けられており、位置合せロール９０と搬送ロール９１との間の用紙搬送経路長ｄは用紙Ｓの搬送方向長さｄｓよりも短く設定されている。
【００２６】
−帯電機構−
本実施の形態では、図３及び図５に示すように、位置合せロール９０及び案内シュート９３を帯電する帯電機構１３０が設けられている。
本例では、帯電機構１３０は、トナーと同極性（本例では負極性）の少なくとも直流成分が含まれる帯電電圧Ｖｃを印加する帯電用電源１３１と、位置合せロール９０に対し直接接地するか、帯電用電源１３１からの帯電電圧Ｖｃを印加するかを切り替える切替器としての第１の切替スイッチ１３２と、案内シュート９３に対して抵抗９４を介して接地するか、帯電用電源１３１からの帯電電圧Ｖｃを印加するかを切り替える切替器としての第２の切替スイッチ１３３と、を備えている。
尚、本例では、帯電用電源１３１は位置合せロール９０及び案内シュート９３に対して共用する態様を示しているが、別個に設けてもよいことは勿論である。
【００２７】
＜帯電電圧の選定方法＞
ここで、帯電用電源１３１の帯電電圧Ｖｃの選定方法について補足すると、図５に示すように、例えば位置合せロール９０の金属製ロール部材と用紙Ｓとの間の微小間隙ｇで放電が開始可能な放電開始電圧Ｖｓ以上の電圧を帯電電圧Ｖｃとして選定すればよい。
また、第１及び第２の切替スイッチ１３２，１３３は、図３に示すように、判別器１１０により用紙Ｓが高抵抗用紙であると判別されたときに、制御装置１２０が判別信号を受け、第１及び第２の切替スイッチ１３２，１３３に切替信号を送出し、各切替スイッチ１３２，１３３の切り替えにより位置合せロール９０及び案内シュート９３に帯電電圧Ｖｃを印加するようになっている。
【００２８】
＜搬送ロールの抵抗の選定方法＞
更に、本例では、位置合せロール９０よりも用紙Ｓの搬送方向上流側に隣接して配置される搬送ロール９１は抵抗９５を介して接地されている。ここで、抵抗９５の抵抗値としては例えば用紙Ｓが高抵抗用紙と判別されたときに、位置合せロール９０及び案内シュート９３には帯電電圧Ｖｃが印加され、高抵抗用紙は負極性の帯電電荷によって帯電されることになるが、高抵抗用紙は位置合せロール９０と搬送ロール９１との間に跨がって配置されることから、搬送ロール９１を直接接地した態様では高抵抗用紙が折角帯電したとしても、その帯電電荷が搬送ロール９１から接地に至る経路を経て漏れる可能性が高い。そこで、この漏洩電流を極力抑制したいという観点から、搬送ロール９１の抵抗９５は漏洩電流が許容レベル以下に収まるように高抵抗値を有するものが選定される。
【００２９】
−画像形成装置の駆動制御系−
本実施の形態において、図３に示すように、符号１２０は画像形成装置の作像処理を制御する制御装置であり、この制御装置１２０は、ＣＰＵ、ＲＯＭ、ＲＡＭ及び入出力インタフェースを含むマイクロコンピュータからなり、入出力インタフェースを介して図示外のスタートスイッチや作像モードを選択するモード選択スイッチ等のスイッチ信号や各種センサ信号、更には、用紙種を判別する判別器１１０からの用紙判別信号等の各種入力信号を取り込み、ＲＯＭに予め格納されている作像制御プログラム（図６参照）をＣＰＵで実行し、駆動制御対象に対する制御信号を生成した後に、各駆動制御対象（切替スイッチ１３２，１３３等）に制御信号を送出するようになっている。
【００３０】
−画像形成装置の作動−
今、図２に示す画像形成装置において、表面抵抗の異なる用紙Ｓが混在して使用される場合を想定すると、図６に示すように、図示外のスタートスイッチをオン操作することで画像形成装置によるプリント（作像処理）が開始される。
このとき、用紙Ｓは用紙供給容器８１，８２又は手差し用紙供給器９２のいずれかから供給され、所定の搬送経路を経て二次転写域ＴＲに向かって搬送されるが、二次転写域ＴＲに至る前の搬送途中において、判別器１１０による用紙Ｓの表面抵抗の測定（用紙種の判別処理）が実施される。
制御装置１２０は、判別器１１０の判別結果に基づいて用紙Ｓが高抵抗用紙か否かを判別し、高抵抗用紙の場合には、切替スイッチ１３２，１３３を切り替えて位置合せロール９０、案内シュート９３に帯電電圧Ｖｃを印加する。
一方、制御装置１２０は、用紙Ｓが高抵抗用紙ではないと判別すると、高抵抗用紙の場合とは異なり、切替スイッチ１３２，１３３を切り替えて位置合せロール９０を直接接地し、案内シュート９３を抵抗９４を介して接地する。
この後、用紙Ｓが二次転写域ＴＲに至ると、各画像形成部２２（２２ａ〜２２ｆ）にて形成されて中間転写体３０に一次転写された画像Ｇは用紙Ｓに二次転写され、定着装置７０による定着処理を経て用紙排出受け８６に排出され、一連のプリント（作像処理）が終了する。
【００３１】
−二次転写動作過程−
＜普通紙＞
今、用紙Ｓが普通紙Ｓａの場合には、図３、図６及び図７（ａ）に示すように、切替スイッチ１３２，１３３にて位置合せロール９０を直接接地し、案内シュート９３を抵抗９４を介して接地し、この状態で、二次転写域ＴＲには転写電源６０による転写電圧ＶＴＲが給電ロール５７から対向ロール５６へと印加され、中間転写体３０側から転写電界が作用して転写ロール５５側に転写電流が流れる。
この状態において、普通紙Ｓａは位置合せロール９０、案内シュート９３を経て二次転写域ＴＲに至り、二次転写域ＴＲにて中間転写体３０上の画像Ｇが用紙Ｓに二次転写される。このとき、普通紙Ｓａは二次転写域ＴＲに至るまでに位置合せロール９０や案内シュート９３に接触することから、両者の摺擦により普通紙Ｓａが部分的に帯電することはあるが、普通紙Ｓａの表面抵抗は高抵抗用紙Ｓｔに比べて小さいことから、普通紙Ｓａ上の帯電電荷は位置合せロール９０の接地へ至る経路、あるいは、案内シュート９３の接地に至る経路を経て除電される。よって、普通紙Ｓａが二次転写域ＴＲに突入したとしても、当該普通紙Ｓａが部分的にトナーと逆極性に帯電した状態で二次転写域ＴＲに至ることはほとんどなく、二次転写域ＴＲの入口付近で中間転写体３０上のトナーによる画像Ｇが普通紙Ｓａ側に転写前に移行する懸念はない。
よって、二次転写域ＴＲにおける普通紙Ｓａに対する転写動作は安定して行われ、画像抜けや画像汚れ等の転写不良が生ずる懸念は少ない。
【００３２】
＜高抵抗用紙＞
次に、用紙Ｓが高抵抗用紙（例えばプラスチックフィルム）Ｓｔである場合について説明する。
この場合には、図３、図６及び図７（ｂ）に示すように、制御装置１２０は切替スイッチ１３２，１３３を切り替えて位置合せロール９０及び案内シュート９３にトナーと同極性の帯電電圧Ｖｃを印加し、この状態で、二次転写域ＴＲには転写電源６０による転写電圧ＶＴＲが給電ロール５７から対向ロール５６へと印加され、中間転写体３０側から転写電界が作用する。
このとき、高抵抗用紙Ｓｔは、搬送ロール９１、位置合せロール９０、案内シュート９３を経て二次転写域ＴＲに至り、二次転写域ＴＲを通過して搬送ベルト８５側へと搬送されていく。
今、高抵抗用紙Ｓｔが搬送ロール９１を通過し、位置合せロール９０に至る前の段階では、高抵抗用紙Ｓｔは、図８（ａ）に示すように、搬送ロール９１（図５参照）や図示外の案内シュートに摺擦することで部分的に帯電するため、高抵抗用紙Ｓｔの表面には正極性、負極性の電荷（＋，−）が混在した状態にあると推測される。
尚、図８（ａ）においては、帯電機構１３０の切替スイッチ１３２，１３３（図７参照）は省略した。
【００３３】
そして、高抵抗用紙Ｓｔが位置合せロール９０に到達し、更に、位置合せロール９０を通過して案内シュート９３に至ると、位置合せロール９０及び案内シュート９３にはトナーと同極性の帯電電圧Ｖｃが印加されているため、図８（ａ）に示すように、正極性、負極性の電荷（＋，−）が混在した高抵抗用紙Ｓｔはトナーと同極性（本例では負極性）の電荷（−）に一様帯電される。
このとき、高抵抗用紙Ｓｔの搬送方向長さｄｓは位置合せロール９０と搬送ロール９１との間の用紙搬送経路長ｄよりも長い寸法関係にあることから、高抵抗用紙Ｓｔが位置合せロール９０と当該位置合せロール９０に隣接する位置の搬送ロール９１（図３、図５参照）とに跨がって接触した状態が存在するとしても、搬送ロール９１は抵抗値の高い抵抗９５を介して接地されているため、高抵抗用紙Ｓｔの負極性の電荷（−）は搬送ロール９１の接地に至る経路を経て流れにくく、高抵抗用紙Ｓｔ上の負極性の電荷（−）による帯電状態が損なわれる懸念は少ない。
【００３４】
この後、高抵抗用紙Ｓｔの先端は二次転写域ＴＲに突入していくことになるが、高抵抗用紙Ｓｔが二次転写域ＴＲに突入する際に、二次転写域ＴＲの入口付近で高抵抗用紙Ｓｔと中間転写体３０上の負極性トナーによる画像Ｇとが接近配置したとしても、中間転写体３０上のトナーによる画像Ｇ（−）は高抵抗用紙Ｓｔ上の帯電電荷（−）に対して反発する方向、つまり、中間転写体３０側に押し付けられることになり、中間転写体３０上のトナーによる画像Ｇ（−）は二次転写域ＴＲに突入する前に高抵抗用紙Ｓｔ側に移行する懸念はない。特に、白トナーのように導電性の高い帯電作像材料を使用する場合には、帯電しにくくトナーの静電付着力が弱いが、高抵抗用紙Ｓｔ側のトナーと同極性の帯電電荷（−）により中間転写体３０側に押し付けられるため、白トナーの剥がれも有効に阻止される。
このため、中間転写体３０上のトナーによる画像Ｇ（−）の一部が二次転写域ＴＲの入口付近にて高抵抗用紙Ｓｔ側に飛散することはなく、画像抜けや画像汚れという転写不良が生ずる懸念はない。
【００３５】
◎比較の形態１
次に、本実施の形態に係る画像形成装置の二次転写部における転写動作性能を評価するために、比較の形態１に係る画像形成装置の二次転写部周りにおける二次転写動作時のトナーによる画像Ｇの挙動を説明する。
本比較の形態における二次転写部周りの構造は、図８（ｂ）に示すように、実施の形態１と略同様に、位置合せロール９０及び案内シュート９３を帯電する帯電機構１４０が設けられているが、本例の帯電機構１４０は、実施の形態１と異なり、高抵抗用紙Ｓｔを使用したときに、位置合せロール９０及び案内シュート９３にはトナーと逆極性の帯電電圧Ｖｃ’が印加可能な帯電用電源１４１を接続したものである。尚、本比較の形態においても、実施の形態１と同様な切替スイッチ１３２，１３３に相当する切替スイッチを備えているが、図８（ｂ）においてはこれらの切替スイッチについては省略した。
本比較の形態においては、高抵抗用紙Ｓｔは、位置合せロール９０に至る前の段階では、搬送ロール９１や他の図示外の案内シュートとの摺擦によって正極性、負極性の電荷（＋，−）が混在した状態に帯電されることになるが、高抵抗用紙Ｓｔが位置合せロール９０に到達し、更に、位置合せロール９０を通過して案内シュート９３に至ると、位置合せロール９０及び案内シュート９３にはトナーと逆極性の帯電電圧Ｖｃ’が印加されているため、図８（ｂ）に示すように、正極性、負極性の電荷（＋，−）が混在した高抵抗用紙Ｓｔはトナーと逆極性（本例では正極性）の電荷（＋）に一様帯電される。
【００３６】
この後、高抵抗用紙Ｓｔが二次転写域ＴＲに突入する際に、二次転写域ＴＲの入口付近で高抵抗用紙Ｓｔと中間転写体３０上の負極性トナーによる画像Ｇとが接近配置したとすると、中間転写体３０上のトナーによる画像Ｇ（−）と高抵抗用紙Ｓｔ上の帯電電荷（＋）とは逆極性であることから、中間転写体３０上のトナーによる画像Ｇ（−）は高抵抗用紙Ｓｔ上の帯電電荷（＋）に対して吸引する方向、つまり、高抵抗用紙Ｓｔ側に引き寄せられることになり、中間転写体３０上のトナーによる画像Ｇ（−）の一部が二次転写域ＴＲに突入する前に高抵抗用紙Ｓｔ側に飛散し易い。このため、本比較の形態にあっては、中間転写体３０上のトナーによる画像Ｇ（−）の一部が二次転写域ＴＲの入口付近にて高抵抗用紙Ｓｔ側に飛散し、画像抜けや画像汚れという転写不良が生ずる懸念がある。
【００３７】
本実施の形態では、帯電機構１３０は、位置合せロール９０及び案内シュート９３の両方に帯電電圧Ｖｃを印加する態様を用いたが、必ずしもこれに限定されるものではなく、例えば図９（ａ）（ｂ）に示すような変形の形態１，２に係る帯電機構１３０を採用しても差し支えない。
◎変形の形態１
図９（ａ）において、帯電機構１３０は、二次転写域ＴＲの入口側で二次転写域ＴＲに直近した位置の案内シュート９３にのみ帯電機構１３０を付加したものである。本例では、帯電機構１３０は、帯電電圧Ｖｃを印加する帯電用電源１３１と、案内シュート９３から抵抗９４を介して接地に至る通電経路とを切替スイッチ１３５で切り替え選択し、高抵抗用紙Ｓｔを使用するときに案内シュート９３に帯電電圧Ｖｃを印加するようにしたものである。
そして、本例では、案内シュート９３に隣接する位置合せロール９０は抵抗９６を介して接地されており、また、位置合せロール９０に隣接する搬送ロール９１は実施の形態１と同様に抵抗９５を介して接地されている。ここで、抵抗９６は抵抗９５と同様に高抵抗用紙Ｓｔに帯電した電荷が漏洩しにくい程度の高い抵抗値を有するものが用いられている。
【００３８】
本変形の形態によれば、高抵抗用紙Ｓｔが二次転写域ＴＲに至る前に案内シュート９３に接触しながら二次転写域ＴＲに向かうことになるが、高抵抗用紙Ｓｔは案内シュート９３を通過する段階でトナーと同極性の電荷（−）に一様帯電されるため、高抵抗用紙Ｓｔが二次転写域ＴＲに突入する際に、実施の形態１と同様に、中間転写体３０上のトナーによる画像Ｇが二次転写域ＴＲの入口付近で高抵抗用紙Ｓｔに接近配置されたとしても、中間転写体３０上のトナーによる画像Ｇは高抵抗用紙Ｓｔの帯電電荷（−）との反発により中間転写体３０側に押し付けられた状態で二次転写域ＴＲに至る。よって、中間転写体３０上のトナーによる画像Ｇは二次転写域ＴＲの入口付近で高抵抗用紙Ｓｔ側に飛散することなく、二次転写域ＴＲに至った後に高抵抗用紙Ｓｔに対して転写動作が安定的に行われる。
【００３９】
◎変形の形態２
図９（ｂ）において、帯電機構１３０は、二次転写域ＴＲの入口側に位置する位置合せロール９０に帯電機構１３０を付加したものである。本例では、帯電機構１３０は、帯電電圧Ｖｃを印加する帯電用電源１３１と、位置合せロール９０から直接接地に至る通電経路とを切替スイッチ１３６で切り替え選択し、高抵抗用紙Ｓｔを使用するときに案内シュート９３に帯電電圧Ｖｃを印加するようにしたものである。
そして、本例では、二次転写域ＴＲの入口側の直近に位置する案内シュート９３は抵抗９４を介して接地されているが、案内シュート９３の高抵抗用紙Ｓｔとの接触面、つまり、金属製シュート部材の相対向する面には高抵抗用紙Ｓｔとの摺擦での帯電を防止するための帯電防止膜からなる被覆層１３７が形成されている。
尚、位置合せロール９０に隣接する搬送ロール９１は実施の形態１と同様に抵抗９５を介して接地されている。
【００４０】
本変形の形態によれば、高抵抗用紙Ｓｔが二次転写域ＴＲに至る前に位置合せロール９０を通過するときに、位置合せロール９０には帯電電圧Ｖｃが印加されていることから、高抵抗用紙Ｓｔは位置合せロール９０を通過する段階でトナーと同極性の電荷（−）に一様帯電される。この後、高抵抗用紙Ｓｔは帯電電圧Ｖｃが印加されていない案内シュート９３を経由して二次転写域ＴＲに向かうが、案内シュート９３の高抵抗用紙Ｓｔとの接触面には帯電防止膜からなる被覆層１３７が形成されているため、高抵抗用紙Ｓｔのトナーと同極性の帯電電荷による一様帯電性はほとんど損なわれることなく、高抵抗用紙Ｓｔは二次転写域ＴＲに至る。
そして、高抵抗用紙Ｓｔが二次転写域ＴＲに突入する際に、実施の形態１と同様に、中間転写体３０上のトナーによる画像Ｇが二次転写域ＴＲの入口付近で高抵抗用紙Ｓｔに接近配置されたとしても、中間転写体３０上のトナーによる画像Ｇは高抵抗用紙Ｓｔの帯電電荷（−）との反発により中間転写体３０側に押し付けられた状態で二次転写域ＴＲに至る。よって、中間転写体３０上のトナーによる画像Ｇは二次転写域ＴＲの入口付近で高抵抗用紙Ｓｔ側に飛散することなく、二次転写域ＴＲに至った後に高抵抗用紙Ｓｔに対して転写動作が安定的に行われる。
【符号の説明】
【００４１】
１…像保持体，２…転写装置，２ａ…転写部材，２ｂ…対向部材，２ｃ…転写電源，３…接触部材，３ａ…位置合せ搬送部材，３ｂ…案内部材，３ｃ…搬送部材，４…帯電要素，５…高抵抗，６…判別器，７…切替器，８…制御装置，Ｇ…画像，Ｓ…記録媒体，ＴＲ…転写域
【図１】
2019060993.tif 000003
【図２】
2019060993.tif 000004
【図３】
2019060993.tif 000005
【図４】
2019060993.tif 000006
【図５】
2019060993.tif 000007
【図６】
2019060993.tif 000008
【図７】
2019060993.tif 000009
【図８】
2019060993.tif 000010
【図９】
2019060993.tif 000011